【手続補正書】
【提出日】平成18年8月21日(2006.8.21)
【手続補正１】
【補正対象書類名】明細書
【補正対象項目名】特許請求の範囲
【補正方法】変更
【補正の内容】
【特許請求の範囲】
【請求項１】
物体側から順に、負の屈折力を有する第１レンズ群と、絞りと正の屈折力を有する第２レンズ群と、正の屈折力を有する第３レンズ群とを備え、広角端から望遠端への変倍に際して、前記第１レンズ群と前記第２レンズ群との間隔が変化し、前記第２レンズ群と前記第３レンズ群との間隔が増大するように、前記第１レンズ群および前記第２レンズ群がそれぞれ移動し且つ前記第３レンズ群が固定され、前記第２レンズ群は４枚以下のレンズ成分で構成され、前記第２レンズ群中には、最も物体側の面を除くいずれかのレンズ面に、回折光学面を有し、該回折光学面の有効径（直径）をＣ、広角端におけるレンズ系全体の焦点距離をｆｗとし、次式
０．２＜Ｃ／ｆｗ＜２．０
の条件を満足することを特徴とするズームレンズ。
【請求項２】
前記第２レンズ群の最も像側の面から前記回折光学面までの光軸に沿った距離をＬとし、前記第２レンズ群の全長をＬ２（但し、絞りを含まず）としたとき、次式
０≦Ｌ／Ｌ２＜１．０
の条件を満足することを特徴とする請求項１記載のズームレンズ。
【請求項３】
前記回折光学面は、空気と接するレンズ面上に形成され、前記回折光学素子を有する面の曲率半径をｒａとしたとき、次式
０≦｜ｆｗ／ｒａ｜＜０．４
の条件を満足するように形成されていることを特徴とする請求項１又は２に記載のズームレンズ。
【請求項４】
前記第３レンズ群の焦点距離をｆ３としたとき、次式
０．２＜ｆ３／ｆｗ＜１５．０
の条件を満足することを特徴とする請求項１〜３のいずれかに記載のズームレンズ。
【請求項５】
前記第１レンズ群中の最も物体側の負レンズの物体側の面の曲率半径をｒ１とし、前記第１レンズ群中の最も物体側の負レンズの像側の面の曲率半径をｒ２としたとき、次式
−３＜（ｒ１＋ｒ２）／（ｒ２−ｒ１）＜０
の条件を満足することを特徴とする請求項１〜４のいずれかに記載のズームレンズ。
【請求項６】
前記第２レンズ群中の最も物体側の凸レンズと最も像側の凹レンズの各々のｄ線における屈折率の差をΔＮとしたとき、次式
０．０２＜ΔＮ
の条件を満足することを特徴とする請求項１〜５のいずれかに記載のズームレンズ。
【請求項７】
前記第１レンズ群の焦点距離ｆ１とし、前記第２レンズ群の焦点距離をｆ２としたとき、次式、
０．３＜｜ｆ２／ｆ１｜＜１．０
の条件を満足することを特徴とする請求項１〜６のいずれかに記載のズームレンズ。
【手続補正２】
【補正対象書類名】明細書
【補正対象項目名】０００８
【補正方法】変更
【補正の内容】
【０００８】
請求項２に係る発明のズームレンズは、請求項１に記載のズームレンズにおいて、第２レンズ群の最も像側の面から回折光学面までの光軸に沿った距離をＬとし、第２レンズ群の全長をＬ２（但し、絞りを含まず）としたとき、次式０≦Ｌ／Ｌ２＜１．０の条件を満足する。
【手続補正３】
【補正対象書類名】明細書
【補正対象項目名】０００９
【補正方法】変更
【補正の内容】
【０００９】
請求項３に係る発明のズームレンズは、請求項１又は請求項２に記載のズームレンズにおいて、回折光学面は、空気と接するレンズ面上に形成され、回折光学素子を有する面の曲率半径をｒａとしたとき、次式０≦｜ｆｗ／ｒａ｜＜０．４の条件を満足するように形成されている。
【手続補正４】
【補正対象書類名】明細書
【補正対象項目名】００１０
【補正方法】変更
【補正の内容】
【００１０】
請求項４に係る発明のズームレンズは、請求項１〜３のいずれかに記載のズームレンズにおいて、第３レンズ群の焦点距離をｆ３としたとき、次式０．２＜ｆ３／ｆｗ＜１５．０の条件を満足する。
また、請求項５に係る発明のズームレンズは、請求項１〜４のいずれかに記載のズームレンズにおいて、第１レンズ群中の最も物体側の負レンズの物体側の面の曲率半径をｒ１とし、第１レンズ群中の最も物体側の負レンズの像側の面の曲率半径をｒ２としたとき、次式−３＜（ｒ１＋ｒ２）／（ｒ２−ｒ１）＜０の条件を満足する。
さらに、請求項６に係る発明のズームレンズは、請求項１〜５のいずれかに記載のズームレンズにおいて、第２レンズ群中の最も物体側の凸レンズと最も像側の凹レンズの各々のｄ線における屈折率の差をΔＮとしたとき、次式０．０２＜ΔＮの条件を満足する。
また、請求項７に係る発明のズームレンズは、請求項１〜６のいずれかに記載のズームレンズにおいて、第１レンズ群の焦点距離ｆ１とし、第２レンズ群の焦点距離をｆ２としたとき、次式、０．３＜｜ｆ２／ｆ１｜＜１．０の条件を満足する。
【手続補正５】
【補正対象書類名】明細書
【補正対象項目名】００１８
【補正方法】変更
【補正の内容】
【００１８】
また、本発明に係るズームレンズにおいて、Ｌ２は第２レンズ群の全長（但し、絞りを含まず）、Ｌは第２レンズ群の最も像側の面から回折光学面までの光軸に沿った距離としたとき、次式（２）を満足する。
【手続補正６】
【補正対象書類名】明細書
【補正対象項目名】００２９
【補正方法】変更
【補正の内容】
【００２９】
上記条件式（５）は、第１レンズ群中の最も物体側の負レンズの適切な範囲を規定している。条件式（５）の下限を下回ると、非点収差や倍率色収差などの軸外収差の劣化が大きくなり、好ましくない。反対に、条件式（５）の上限値を上回ると、レンズの研摩や心取りが困難となりコストアップにつながる。なお、本発明の効果を十分に発揮するには、条件式（５）の上限値を−０．８とすることが望ましい。また、条件式（５）の下限値を−２とすることが望ましい。
【手続補正７】
【補正対象書類名】明細書
【補正対象項目名】００３０
【補正方法】変更
【補正の内容】
【００３０】
また、本発明に係るズームレンズにおいて、ΔＮは第２レンズ群中の最も物体側の凸レンズと最も像側の凹レンズの各々のｄ線における屈折率の差としたとき、次式（６）を満足することが望ましい。
【手続補正８】
【補正対象書類名】明細書
【補正対象項目名】００３２
【補正方法】変更
【補正の内容】
【００３２】
本発明のように、最大像高に比してバックフォーカスの長いズームレンズにおいては、像側のレンズ群を通る軸上光線の位置が光軸から大きく離れがちであり、この軸上光線の収差補正が難しい。本発明では、上記条件式（６）に示すように、第２レンズ群中のレンズの屈折率差であるΔＮの値を適切な範囲に設定することにより、上述の軸上光線の収差補正を良好に行うことが可能であることを見出した。このとき、第２レンズ群中において、正レンズの屈折率が負レンズの屈折率よりも高いことが望ましい。また、条件式（６）の下限値を下回ると、球面収差の補正が困難となって、良好な結像性能を得ることができなくなってしまい、さらに、ペッツバール和が負側に変移しやすくなるので好ましくない。
【手続補正９】
【補正対象書類名】明細書
【補正対象項目名】００４１
【補正方法】変更
【補正の内容】
【００４１】
さらに、本発明においては、もともと屈折面として非球面状に形成されたレンズのレンズ面に回折作用を有するキノフォームまたはマルチレベルのバイナリ層を付加してもよい。以下、この点についてさらに説明する。
【手続補正１０】
【補正対象書類名】明細書
【補正対象項目名】００４３
【補正方法】変更
【補正の内容】
【００４３】
さらに、本発明に係るズームレンズは、撮影レンズのブレを検出するブレ検出手段と、ブレ検出手段からの信号とカメラの作動シークエンスの制御を行う制御手段からの信号とに基づいて適正なブレ補正量を定めるブレ制御装置と、ブレ補正量に基づき防振レンズ群を移動させる駆動機構とを組みあわせ、防振レンズシステムを構成することもできる。この場合、本発明においては、小型のレンズ群またはその一部を光軸と直交する方向にシフトするように構成することが好ましい。また、本発明に係るズームレンズを構成する各レンズに加えて、屈折率分布型レンズ等を用いることにより、さらに良好な光学性能が得られることは言うまでもない。
【手続補正１１】
【補正対象書類名】明細書
【補正対象項目名】００４９
【補正方法】変更
【補正の内容】
【００４９】
なお、本実施例において用いた超高屈折率法については、前述の「『回折光学素子入門』応用物理学会日本光学会監修」に詳しい。
【手続補正１２】
【補正対象書類名】明細書
【補正対象項目名】００６１
【補正方法】変更
【補正の内容】
【００６１】
図４のズームレンズにおいて、第１レンズ群Ｇ１は、物体側から順に、物体側の面が非球面状に形成された負メニスカスレンズＬ１、物体側に凸面を向けた正メニスカスレンズＬ２から構成されている。また、第２レンズ群Ｇ２は、物体側から順に、開口絞りＳと、物体側の面が非球面状に形成され且つ像側の面に回折光学面Ｇｆが形成された両凸レンズＬ３、両凸レンズＬ４および両凹レンズＬ５との貼り合わせレンズから構成されている。さらに、第３レンズ群Ｇ３は、物体側の面が非球面状に形成された両凸レンズＬ６から構成されている。
【手続補正１３】
【補正対象書類名】明細書
【補正対象項目名】００７６
【補正方法】変更
【補正の内容】
【００７６】
【表４】
面番号        ｒ          ｄ          ｎｄ        ｎｇ        ｎＣ        ｎＦ
1      63.27518    1.00000    1.804000    1.825700    1.798820    1.816080
2*      5.86614    1.37500    1.000000
3       8.27052    1.80000    1.805180    1.847290    1.796110    1.827770
4      18.50044    d4(可変)   1.000000
5      開口絞りＳ  d5(可変)
6*      4.39627    2.20000    1.804000    1.825700    1.798820    1.816080
7      -6.54377    0.75000    1.688930    1.717970    1.682500    1.704670
8       3.15882    0.60000    1.000000
9       6.25657    0.50000    1.743200    1.762050    1.738650    1.753720
10      5.72154    0.90000    1.772500    1.791970    1.767800    1.783370
11     30.18608    0.00000    10001      7418.6853  11170.4255  8274.7311
12*    30.18608    d12(可変)  1.000000
13*    76.30423    1.30000    1.804000    1.825700    1.798820    1.816080
14   -402.31705    0.60000    1.000000
15        ∞       3.00000    1.516330    1.526210    1.513860    1.521910
16    -66.41146    2.54229    1.000000
（非球面データ）
面番号    κ        Ｃ４          Ｃ６            Ｃ８            Ｃ１０
2     1.0000  -1.08470×10-4  -2.63700×10-5  1.18050×10-6  -3.62870×10-8
6     1.0000  -5.89130×10-4  -6.53380×10-5  6.47880×10-6  -6.62230×10-7
12    1.0000   1.65160×10-4  1.80860×10-6  3.34900×10-10  -2.32220×10-10
13    1.0000  -6.45180×10-4  7.34220×10-6  9.53910×10-6  -5.65190×10-7
（変倍における可変間隔）
広角端(Ｗ)      望遠端（Ｔ）
ｆ      5.56          10.48
FNO     2.919          3.962
d4      9.86552        1.75642
d5      4.31641        1.40331
d12     1.89346        4.80653
（条件式対応値）
Ｃ  ＝  4.40
ｆｗ＝  5.56205
Ｌ  ＝  0
Ｌ２＝  4.95
ｒａ＝ 30.18608
ｆ１＝-16.32883
ｆ２＝  8.80221
ｆ３＝ 50.03825
ｒ１＝ 63.27518
ｒ２＝ 5.86614
（１）Ｃ／ｆｗ      ＝0.791075
（２）Ｌ／Ｌ２      ＝0
（３）｜ｆｗ／ｒａ｜＝0.184259
（４）ｆ３／ｆｗ    ＝8.996368
（５）（ｒ１＋ｒ２）／（ｒ２−ｒ１）＝-1.20436
（６）ΔＮ          ＝0.0608
（７）｜ｆ２／ｆ１｜＝0.539059